(57)【要約】【課題】  デザイン複雑性が殆んど無く動力設備も無く、使用者ができるだけ簡単且つ便利に操作することができ、それにもかかわらず多種多様な画像構成を可能にする光学システムをもたらすことである。【解決手段】  試料から一つの合成画像ビームまで各々進行する第１及び第２部分画像ビームを合成するための光学システム、特に用意した試料の試験用光学機器内の光学システムであって、第１及び第２部分画像ビームに対してそれぞれ一つ以上のストップ部を有する可動ストップ要素をそれぞれ備えて構成される、一つのストップ装置が設けられており、合成画像ビーム内の各部分画像ビームの面積比を修正するために、ストップ要素の移動によって少なくとも一つのストップ部を部分画像ビームと共に作動位置にもたらす光学システムである。ストップ装置は、可動に配置した２つのストップ要素を結合するための結合要素を備え、上記面積比は結合手段の移動によって修正可能となる。【選択図】  図１
2010061132.tif 000002
【特許請求の範囲】
【請求項１】
試料（１０、２０）から結果として生じる一つの合成画像ビーム（１０２）まで各々進行する第１及び第２部分画像ビーム（１１２、１２２）を合成するための光学システム、特に、用意した試料の試験用光学機器内の光学システムであって、
第１及び第２部分画像ビーム（１１２、１２２）に対して、それぞれ一つ以上のストップ部（２１２〜２１５、２２２〜２２５）を有する可動ストップ要素（１１５、１２５）をそれぞれ備えて構成される、一つのストップ装置（１０３）が設けられ、
合成画像ビーム（１０２）内の各部分画像ビーム（１１２、１２２）の面積比を修正するために、ストップ要素（１１５、１２５）の移動によって少なくとも一つのストップ部（２１２〜２１５、２２２〜２２５）が、部分画像ビーム（１１２、１２２）と作動位置にもたらされ得る、光学システムにおいて、
ストップ装置（１０３）は、２つのストップ要素（１１５、１２５）を結合するために、可動に配置された結合手段（１０４）を備えて構成され、
合成画像ビーム（１０２）内の部分画像ビーム（１１２、１２２）の各面積比が、結合手段（１０４）の移動によって修正可能であることを特徴とする、光学システム。
【請求項２】
結合手段（１０４）が、２つのストップ要素（１１５、１２５）を動かないように結合する、請求項１に記載の光学システム。
【請求項３】
ストップ装置（１０３）が、ストップ要素（１１５、１２５）の第１位置にもたらされ得、その場合、結合手段（１０４）の第１移動は、合成画像ビーム（１０２）内の第１部分画像ビーム（１２２）の面積比を増加し、且つ、合成画像ビーム（１０２）内の第２部分画像ビーム（１１２）の面積比を減少する、請求項１又は２に記載の光学システム。
【請求項４】
結合手段（１０４）の第１移動をもたらすために、手動で作動可能な第１調節手段（３２０）が設けられる、請求項３に記載の光学システム。
【請求項５】
結合手段（１０４）の第１移動が、第１回転軸（Ａ）の周りの回転移動である、請求項３又は４に記載の光学システム。
【請求項６】
第１回転軸（Ａ）が、結合手段（１０４）の長手方向軸に対して垂直に延び、好ましくはストップ要素（１１５、１２５）の間を延びる、請求項５に記載の光学システム。
【請求項７】
第１回転軸（Ａ）の周りで結合手段（１０４）を回転するために、偏心装置（３２０）が設けられる、請求項５又は６に記載の光学システム。
【請求項８】
ストップ装置（１０３）が、ストップ要素（１１５、１２５）の第２位置にもたらされ得、その場合、合成画像ビーム（１０２）が２つの部分画像ビーム（１１２、１２２）の混合によって形成される、請求項１〜７のいずれか一項に記載の光学システム。
【請求項９】
ストップ装置（１０３）が、ストップ要素（１１５、１２５）の第３及び第４位置にもたらされ得、その場合、合成画像ビーム（１０２）が、第１部分画像ビーム（１２２）のみによって、及び第２部分画像ビーム（１１２）のみによって、各々形成される、請求項１〜８のいずれか一項に記載の光学システム。
【請求項１０】
可動ストップ要素のうち少なくとも一つが回転可能なストップ円板（１１５、１２５）として表現され、その回転軸（２１１、２２１）は、付随する部分画像ビーム路から平行に隙間をあけて配置される、請求項１〜９のいずれか一項に記載の光学システム。
【請求項１１】
結合手段（１０４）の第２移動によってストップ装置（１０３）が、ストップ要素（１１５、１２５）の第１、第２、第３及び第４位置に各々もたらされる、請求項３〜１０のいずれか一項に記載の光学システム。
【請求項１２】
結合手段（１０４）の第２移動をもたらすために、手動で作動可能な第２調節手段（３１０）が設けられる、請求項１１に記載の光学システム。
【請求項１３】
結合手段（１０４）の第２移動が、第２回転軸（Ｂ）の周りの回転移動である、請求項１１又は１２に記載の光学システム。
【請求項１４】
少なくとも一つのストップ円板（１１５、１２５）の回転軸（２１１、２２１）と、第２回転軸（Ｂ）とが一致する、請求項１０及び１３のいずれか一項に記載の光学システム。
【請求項１５】
第２回転軸（Ｂ）が、結合手段（１０４）の長手方向軸と平行に延びる、請求項１３又は１４に記載の光学システム。
【請求項１６】
請求項１〜１５のいずれか一項に記載の光学システム（１００）を包含する比較顕微鏡又は比較マクロスコープ。
【発明の詳細な説明】
【技術分野】
【０００１】
本発明は、請求項１のプレアンブル部分（おいて部分）に係る、試料から一つの合成画像ビームまで各々進行する第１及び第２部分画像ビームを合成するための光学システムに関連している。当該システムは、例えば比較顕微鏡（comparison microscope）又は比較マクロスコープ（comparison macroscope）のような、特に、多種多様に作成された試料の試験用光学装置において用いられる。
【背景技術】
【０００２】
比較試験が実施される場合、第１試料の画像は通常、第２試料の画像と比較される。２つの対象物に由来する複数の部分画像ビームが、例えば比較ブリッジのような光学システムを介して、使用者に一つの（結果として生じる）合成画像ビームとして見える、一つの画像ビームに組み合わせられ得る、比較顕微鏡及び比較マクロスコープは、かかる試験を実施するためのものとして周知である。これに関連して多種多様な描写可能性が通常存在し、合成画像は、対応するストップの設定により（複数の）部分画像から生じる。各部分画像の混合又は重ね合わせ、又は、部分画像の一部の並んだ配置又は並置がこれに関連して可能である。
【０００３】
一般的種類の光学システムが特許文献１に記載されている。記載の比較ブリッジは、上記画像構成（配置）を生じるために、二つの可動ストップ装置を備えて構成される。このために、使用者は、試験中に両手を使って概ね肩の高さに位置する回転式取手を操作しなければならず、このことから取り扱いが不快且つ困難であることが分かる。特に、操作中に両手の使用が必須であり、その結果同時に他の行動を行うことができない。
【０００４】
片手で操作可能な比較ブリッジの他の実施形態が、例えば特許文献２から公知である。これら比較ブリッジは、しかしながら、上記の様々な画像構成を表示することができないという欠点を有している。特に、一画像の小領域の可変並置、及び分離線の変位が不可能である。
【０００５】
前記機械的比較ブリッジを改良するために、多くの様々な画像構成のための便利な使用可能性を提供する、動力設備をつけた構成が開発されてきた。しかしながらこれら動力設備をつけた実施形態は、著しい補足的デザイン複雑性という欠点を有し、したがって高い習得費用及び保守費用という欠点も有する。
【先行技術文献】
【特許文献】
【０００６】
【特許文献１】DE 1 623 228 A
【特許文献２】DE 938271 A
【発明の概要】
【発明が解決しようとする課題】
【０００７】
したがって、デザイン複雑性が殆んど無く動力設備も無く、使用者ができるだけ簡単且つ便利に操作することができ、それにもかかわらず多種多様な画像構成を可能にする、請求項１のプレアンブル部分に係る光学システムをもたらすことが望ましい。
【課題を解決するための手段】
【０００８】
本発明によると、請求項１の特徴構成を有する、第１及び第２部分画像ビームを合成して一つのビームを結果として生じる光学システムがもたらされる。有利な実施形態が、従属請求項及び続く記載の本旨である。
【０００９】
試料から一つの合成画像ビームまで各々進行する第１及び第２部分画像ビームを合成するための光学システムは、用意された試料の（例えば法医学的）試験用光学装置、例えば比較顕微鏡又は比較マクロスコープにおいて特に利用され得る。当該光学システムは、第１及び第２部分画像ビーム用に、一つ以上のストップ部を各々有する各可動ストップ要素を備えるストップ装置を備えて構成されており、（結果的として生じる）合成画像ビーム内における各部分画像ビームの面積比を修正するために、少なくとも一つのストップ部は、ストップ要素の移動（運動）によって、一つの部分画像ビームと（共に）作動位置にもたらされ得る。ストップ装置は、２つのストップ要素を結合するために移動可能に配置された、結合手段を備えて構成される。（結果として生じる）合成画像ビーム内における部分画像ビームの各面積比は、結合手段によって修正可能又は設定可能である。ストップ要素は、好ましくは一画面内で、例えば中間画面又は一画面中で移動可能である。
【発明の効果】
【００１０】
本発明に係る解決手段は、使用者によって容易に且つ便利に操作可能であって、多種多様な異なる画像構成を可能にする汎用機種の光学システムを、デザイン複雑性を殆んど無くして、入手可能とする利点をもたらす。異なる試料の並置画像部分の比較図に関して、全画像内における個々の部分画像の比は、容易に且つ特に片手で実施可能である機械的結合手段の動きによって修正され得る。これに関して、２つの部分画像の界面、例えば多かれ少なかれ明確な分離線又は重なり領域は、画像フィールド内において使用者によって容易に且つ特に片手で変位され得るのです。重なりはまた、以下に、混合又は重ね合わせとして参照され、「重ね合わせ」という用語は干渉として解釈されない。容易に操作可能であって、特に動力システムに係る明確な費用効果を有するが従来と同様にして動作可能である非動力システムがもたらされ得る。
【００１１】
有利には、結合手段は２つのストップ要素を動かないように結合する。
【００１２】
結合手段の第１移動が、（結果として生じる）合成画像ビーム内における第１部分画像ビームの面積比を増加し、且つ、合成画像ビーム内における第２部分画像ビームの面積比を減少するようなストップ要素の第１位置に、ストップ装置は、好ましくはもたらされ得る。逆に、結合手段の第１移動が、結果として生じる画像ビーム内における第１部分画像ビームの面積比を減少し且つ、結果として生じる画像ビーム内における第２部分画像ビームの面積比を増加し得てもよい。この第１位置は、結果として生じる画像が、並置された、特に相補的な複数の画像部分によって形成されるような、いわゆるスプリットイメージ法のために特に使用される。このために、両ストップ要素上に好ましくは設けられるものがストップ部であって、半ストップとして作用し、且つ各部分画像ビームと（共に）作動位置にもたらされ得、各々は付随した部分画像ビームの一部分を妨げる。よって、結合手段を動かすだけで、結果として生じる画像（スプリットイメージ）内における２つの画像部分間の分離線を容易に変位できる。その上、２つの部分画像が互いに隣接する領域内で分離線を可視化させるのではなく、その代わりに目に見える分離線無く２つの部分画像を直接互いに結びつけることも可能である。部分的重ね合わせが、更なる可能性として設けられている。結合手段の第１移動をもたらすための、手動で実行可能な第１調節手段が好ましくは備えられる。
【００１３】
結合手段の第１移動は、有利には第１回転軸の周りの回転移動である。回転移動は、物理的に単純な方法で成され得る移動である。この場合特に、結合手段は棒として例示（表現）され得る。第１回転軸は、有利には結合手段の長手方向軸（縦軸）に垂直に、好ましくは２つのストップ要素の間に延びて（延在して）いる。
【００１４】
結合手段を第１回転軸の周りで回転させるために、偏心装置又はカム装置が備えられると有利である。偏心装置又は、カム装置は、手動操作が特に容易であり、回転移動を伝えるために結合手段に沿って概ね任意に配置され得る。例えばバネのような引張り手段が、ゼロクリアランス予圧を有する回転式軸受を得るために設けられることも良い選択肢である。
【００１５】
好ましい実施形態にしたがうと、ストップ装置は、２つの部分画像ビームの（特に完全な）混合又は重ね合わせによって（結果として生じる）合成画像ビームが形成されるところの、ストップ要素の第２位置にもたらされ得る。よって、特定の試験法に特に適切な、全体的に又は部分的に重ね合わせた方法で使用者が両試料を見ることができる、観察配置を成すことが可能となる。この配置は「混合画像」として参照される。
【００１６】
結果として生じる合成画像ビームが第１及び第２部分画像ビームによってのみ各々形成されるところの、ストップ要素の第３及び第４位置にもたらされ得ると、同様に便利である。これら画像構成（配置）も、或る試料の試験のために特に適切である。
【００１７】
特に好ましい実施形態にしたがうと、可動ストップ要素のうちの少なくとも一つは、その回転軸が、付随する部分画像ビーム路から平行に隙間をあけて配置されている、回転可能なストップ円板として例示される。ストップ円板内で、ストップ円板を回転することによってビーム路内にもたらされ得る異なるストップ部を形成することが、したがって可能となる。よって部分画像の配置（構成）は、単なる回転移動によって修正され得る。加えて、この種類のストップ円板は、製造と、光学システム内への設置が特に容易である。好ましくは、可動ストップ要素の各々が、回転可能なストップ円板として例示（表現）される。
【００１８】
ストップ装置は、結合手段の第２移動によって、ストップ要素の第１、第２、第３又は第４位置に好ましくはもたらされ得る。有利には、手動で実行可能な第２調節手段が、結合手段の第２移動をもたらすために設けられる。第２移動は、特に回転又は平行移動を包含し得る。結合手段の第２移動は、結合手段の長手方向軸に好ましくは平行に延びる第２回転軸の周りの回転移動であることが有利である。特に両ストップ要素が回転可能なストップ円板として例示される場合、画像構成は、上記円板に結合する結合手段の、その長手方向軸の周りの、回転によって修正され得る。例えば、４つのストップ部と、したがって各ストップ円板上に厳密に４つの画像構成とが作られ得る場合、かかる移動は、好ましくは９０度を包含している。作られ得る画像構成の数が４つに限定されないことが理解される。上記実施形態において、その長手方向軸周りの結合手段の回転は、異なるストップ部を、部分画像ビームと（共に）作動位置に導き、こうして異なる画像構成を作り得、一方でその横軸周りの結合手段の回転は、ストップ要素の第１位置内における部分画像ビームの面積比を修正する。他方で画像構成を形成する複数のストップ部が互いに並んで配置されている（特に弧形状をした）ストリップとしてストップ要素が例示される場合には、結合手段の横軸周りの回転は、有利には画像構成を変更するためのものであるのが有利であり得る。ストップ要素が、結合手段の長手方向に配列されたストップ部を包含する場合には、線移動であることが有利であるかもしれない。
【００１９】
第２、第３、又は第４位置において結果として生じる合成画像ビームへの第１移動の影響は、ストップ要素上の対応する領域の配置、及び、中間画面内の画像の面積に依存し、よって設計に関して当業者によって明確に定められ得る。一つの光学システム内でたった一つの又は二つの移動可能性を実行することが可能である。第１及び第２移動が原則的に互いに独立している間、にもかかわらずそれらは光学システムの配置に依存する同様の移動も包含し得ることに注意されたい。弧形状をしたストップ要素の場合、例えば、第１及び第２移動の両方が、同一軸の周りの回転移動であり得る。したがって、第１及び第２移動を実施するための第１及び第２調節手段も同様であり得る。
【００２０】
ストップ円板の回転軸と第２回転軸とが一致する場合には、例えば連結装置、比変換システム等の構成要素が省略し得る。本発明に係る光学システムの物理的複雑さは、したがって更に減少され得る。
【００２１】
本発明に係る比較顕微鏡又は比較マクロスコープは、本発明に係る光学システムを包含している。
【００２２】
本発明の更なる利点及び実施形態は、記述及び添付の図面から明らかである。
【００２３】
上記の特徴及び、更に以下に説明され得るものは、示唆した各組み合わせにおいてのみならず、他の組み合わせ又は単独でも、本発明の構成から逸脱することなく用いられ得るということが理解される。
【００２４】
本発明は、図面中に例示している実施形態に基づいて、図式的に表現され、且つ、図面を参照して以下に詳細に記述される。
【図面の簡単な説明】
【００２５】
【図１】本発明に係る光学システムの好ましい実施形態を図式的に示している側面図である。
【図２】部分画像ビームの画面内に配置された図１の、２つのストップ要素の模式的平面図である。
【図３】それら（ストップ要素）を動かすための２つの作動装置と共に、図１のストップ装置を表している斜視側面図である。
【発明を実施するための形態】
【００２６】
図１において、本発明に係る光学システムの好ましい一実施形態が模式的に描かれ、且つ、全体を１００と参照されている。光学システムは、比較ブリッジ１００として例示されている。光学システム１００は、部分画像ビーム１１２、１２２を合成し、そこから各々処理して一つの結果として生じる合成画像ビーム１０２をもたらすことによって、２つの試料１０、２０を観察するために用いられる。
【００２７】
比較ブリッジ１００は、左アーム１１０ならびに右アーム１２０を備えて構成される。２つの各アーム上に設置されているのは各々対物レンズ１１、１２であって、各部分画像ビーム１１２、１２２を比較ブリッジ１００内で結合する。２つの部分画像ビーム１１２、及び１２２は、スプリッタプリズム１０１としてここで例示された光学混合部材内で合成されて結果として生じる合成画像ビーム１０２となり、且つ、比較ブリッジ１００上に取り付けられた光学チューブ３０内で結合される。光学チューブは、公知の方法で、（結果として生じる）合成画像ビームを選択的に又は同時に接眼レンズ、カメラ等に結合するために用いられる。
【００２８】
２つの対物レンズ１１、１２及び光学チューブ３０は、比較ブリッジ１００に取り外し可能に結合された、通常交換可能な又は解除可能な要素である。対物レンズ１１、１２の代わりに、対物レンズターレット（objective turret）、又は他の機能的に同一の要素も備えられ得る。対物レンズ１１、１２及び光学チューブ３０と共に比較ブリッジ１００は、比較顕微鏡又は比較マクロスコープをあらわす。
【００２９】
比較ブリッジ１００内において、左の部分画像ビーム１１２は、ミラー１１３としてここで例示された反射要素によって反射される。右の部分画像ビーム１２２は、同様にミラー１２３としてここで例示された反射要素によって反射され、それによって２つの画像ビームがプリズム１０１に、水平に且つ平行にずれて到着する。
【００３０】
比較ブリッジ１００は、所望の画像構成を可能にするためのストップ装置１０３を備えて構成される。ストップ装置１０３は、このために、左の部分画像ビーム１１２の中間画面１１４内に配置された第１可動ストップ要素１１５と、右の部分画像ビーム１２２の中間画面１２４内に配置された第２可動ストップ要素１２５とを備えて構成される。ストップ要素１１５及び１２５は、より良い理解のために図中では僅かに斜視様式で図示されているが、各画面内に、つまり図面に対して垂直にある。ストップ要素１１５、及び１２５は、棒１０４としてここで例示されている結合手段によって結合されている。
【００３１】
図の実施形態において、ストップ装置１０３は、棒１０４の横軸に沿って図面に対して垂直に実質的にプリズム１０１の中央を通って延びる、第１回転軸Aの周りを回転可能に装備される。ストップ装置１０３は、棒１０４の長手方向軸に沿って延びる第２回転軸Bの周りを更に回転可能である。ストップ要素１１５及び１２５は、回転軸が棒１０４の長手方向軸と一致する、したがってストップ装置１０３の回転軸Bと一致する、回転可能なストップ円板として例示されている。ストップ要素の物理的構成は、図２中により明確に図示されている。
【００３２】
図示した本発明に係る光学システムの実施形態において、回転軸Aの周りでストップ装置１０３を回転することによって、部分画像１１２及び１２２から由来する（結果的に生じる）合成画像ビーム１０２の比を修正することが可能となる。これは、ストップ装置１０３がストップ要素の第１位置に存在すると判断することによって成される。この場合、ストップ要素１１５、１２５内の同様に設計された部分によって、部分画像の一部分が削除されることによって分離画像（スプリットイメージ）が生じ、更に、無事通過（進行）することを許可されて隣同士に並んで配置された部分が、（結果として生じる）合成画像を作り出す。合成画像において、例えば試料１０の半分と試料２０の半分とが、したがって隣同士に同時に見える。見える分離線によって２つの半分部が互いから間隔をおいていること、又は重なり合いすら、同様にデザインに関する条件として要求していることが理解される。
【００３３】
（結果として生じる）合成画像内における各部分画像の比は、回転軸Aの周りでストップ装置１０３を回転することによって、又は傾けることによって修正可能である。示された配置（構成）において、例えばストップ装置１０３を反時計回りに回転することによって、合成画像内における第１試料１０の画像の比は増加する、一方で合成画像内における第２試料２０の画像の比は同時に減少する。移動と画像変更との間の相関関係は、図２中により詳細に図示されている、ストップ要素１１５、１２５の配置（構成）によって前もって定義されており、よって当業者が比較ブリッジを配置する場合に選択することが可能である。
【００３４】
回転軸B周りのストップ装置１０３の回転は、回転装置１０３を両試料の画像部分が隣同士に表示される上記第１位置に導くだけでなく、２つの試料の画像が完全に重ね合わされる又は混合される更なる位置にも導くことが可能である、或いは、右だけ若しくは左だけの試料の表示が可能である。
【００３５】
図２は、図１のストップ装置１０３の左側ストップ要素１１５及び右側ストップ要素１２５を平面図で描いている。観察点は回転軸A上にあり、それによってストップ要素１１５及び１２５は、それらを結合する棒１０４に沿って見えている。２つのストップ要素１１５及び１２５は、それらの共同動作によって、多数の有利な画像構成が可能となるように構成される。２つのストップ要素は、各回転軸２１１、２２１の周りに回転可能に各々装備される。加えて、２つのストップ要素は、各部分画像ビーム路に導入され得る様々なストップ部２１２〜２１５、及び２２２〜２２５を備えて構成される。ストップ部２１２〜２１５及び２２２〜２２５は、このようにして実際に光学的に有効なストップを構成する。ストップ部２１２〜２１５及び２２２〜２２５は、ある程度異なって構成される。
【００３６】
所望の画像構成を生じるために、また所望のストップ部を各ビーム路内に導くために、ストップ要素１１５、１２５は、結合手段１０４によって一緒に動かされ得る（この場合は回転される）。示された図において、左側の部分画像ビーム１１２は回転軸２１１の上方を進み、一方で右側の部分画像ビーム１２２は回転軸２２１の下方を進む。各々共同動作するストップ部はしたがって、図中、１８０度ずれてストップ要素上に置かれている。図示した構成では、特に、各ビーム路内に位置するストップ部２１２と２２２であって、これは第１位置（スプリットイメージ）として参照される。（結果として生じる）合成画像内における各部分画像のパーセント基準の、又は面積の比は、回転軸Aの周りでのストップ装置の回転（図１を参照して記載）によって修正され得る。
【００３７】
第２位置（合成画像）として明示される位置への回転軸Bの周りでのストップ装置１０３の回転は、開口部として例示されているストップ部２１４及び２２４を、各部分画像ビーム路内に導き、（結果として生じる）合成画像は２つの部分画像の混合物又は重ね合わせとなる。
【００３８】
ストップ装置の第３位置（完全な右画像）又は第４位置（完全な左画像）への移動は、ストップ部２１３と２２３、及び２１５と２２５を各々部分画像ビーム路内へ導き、その結果、右だけの及び左だけの部分画像が各々（結果として生じる）合成画像内に現れる。そのために、ストップ部２１３と２２５は開口部のないストップとして例示され、且つ、ストップ部２１５と２２３は開口部として例示されている。
【００３９】
図３は、図１のストップ装置１０３を、ストップ装置を動かすための２つの駆動装置と共に斜視側面図において模式的にあらわしている。
【００４０】
回転軸Bの周りにストップ装置１０３を回転するために、作動装置３１０が設けられる。作動装置３１０は、引張り手段駆動装置として例示され、第１シャフト３１１と第２シャフト３１３、及び当該２つのシャフト３１１と３１３の周りを取り巻いている引張り手段３１２とを備えて構成される。第２シャフト３１３は、非回転式に棒１０４と結合される。連結装置等も、回転移動を伝達するために設けられ得る、又は棒１０４自身が第２シャフト３１３として用いられ得る。ストップ装置１０３は、ストップ要素の上記４つの位置のうち一つに、例えは回転式取手に結合された第１シャフト３１１の回転によって導かれる。有利には、この動きは使用者によって片手で実行され得、それによって比較ブリッジの操作がかなり簡単になる。
【００４１】
全画像内における部分画像の比又は分離線の配置を修正することを目的として、回転軸Aの周りにストップ装置１０３を回転するための更なる作動装置３２０が設けられる。そのために、作動装置３２０は、第１シャフト３２１と第２シャフト３２３、及び当該２つのシャフト３２１、３２３の周りを取り巻いている引張り手段３２２とを有する引張り手段駆動装置として同様に例示される。作動装置３２０は偏心装置として例示され、ストップ装置１０３を回転又は上下に動かす（傾ける）ために軸受と共に共同作動する。シャフト３２１は、再度ではあるが例えば回転式取手によって使用者に片手で操作又は回転され得、その結果、楕円形に又はカム様に例示された第２シャフトは、領域３３０内においてストップ装置１０３を上昇又は下降し、それによってそれを軸Aの周りで回転させる。
【００４２】
示された位置のシャフト３２１及び３２３に関して、第１シャフト３２１の回転は、第２シャフト３２３の同方向の回転、よってストップ装置１０３の反時計回りの回転を作り出す。ストップ要素１２５と、よってストップ部２２２とは、これによって上方へ変位され、一方でストップ要素１１５と、よってストップ部２１２とは、逆に下方へ変位される。（結果として生じる）合成画像内における左側半分の画像の、パーセント基準の又は面積の比がこれによって増加し、一方で合成画像内における右側の部分画像の、パーセント基準の又は面積の比は減少する。このようにして、分離線は（結果として生じる）合成画像内で変位可能である。
【００４３】
光学システムの、本発明に係る構成は、単純で特に片手で調節可能な作動装置を利用可能にする。これは、既に上記した利点をもたらす。作動装置は、特にVベルト、歯付きベルト、鎖等を用いる引っ張り手段駆動装置として例示され得る。
【００４４】
本発明は、第１及び第２部分画像ビームを一つの合成画像に合成するための光学システムをもたらし、当該システムは全ての種類の比較試験において有利に用いることができる。それは、特に手動で且つ片手で単純に且つ便利に操作することを可能にする。提案された好ましい実施形態は、特に労力・不快感最小で効率最大の且つ機能的な手法で操作可能である、というのは、片手操作は、あいた手を用いて他の顕微鏡、又はマクロスコープ機能の同時の操作を可能にするからである。本発明は、非動力化した且つ比較的経済的な手法において実行され得、にもかかわらず、使用者が所望とするあらゆる画像構成を使用可能にする。
【符号の説明】
【００４５】
Ａ、Ｂ  回転軸
１０、２０  試料
１１、１２  対物レンズ
３０  チューブ
１００  比較ブリッジ
１０１  ビームスプリッタプリズム
１０２  （結果として生じる）合成画像
１０３  ストップ装置
１０４  棒（結合手段）
１１０、１２０  アーム
１１２、１２２  部分画面ビーム
１１３、１２３  ミラー
１１４、１２４  中間画面
１１５、１２５  ストップ円板（ストップ要素）
２１１、２２１  回転軸
２１２〜２１５  ストップ部
２２２〜２２５  ストップ部
３１０、３２０  引張り手段駆動装置（調節手段）
３１１、３２１  第１シャフト
３１２、３２２  引張り手段
３１３、３２３  第２シャフト
３２４  軸受
【図１】
2010061132.tif 000003
【図２】
2010061132.tif 000004
【図３】
2010061132.tif 000005